(57)【要約】［課題］　この発明は、手持ち型コンピュータ入力操作マウスの親指部に座標位置入力装置とボタンスイッチ付スクロールホイールを設け人差指部と中指部に左右のクリック用ボタンスイッチを設けパソコン操作時の疲労を軽減しデータ入力等の効率を上げ親指に過度の負担をかけずにドラッグ動作やソフトウェア画面を効率良くスクロールできストレス無くパソコン操作に集中できる装置に関する物である。［解決手段］　手持ち型コンピュータ入力操作マウス１の親指部に座標位置入力装置とボタンスイッチ付スクロールホイール５を設け人差指部と中指部に左右のクリック用ボタンスイッチを設ける。これとパソコンをコンピュータ接続ケーブル６で接続する。なお，このマウスに無線信号発信器９とバッテリー１１を設けコンピュータ接続ケーブル６を取り外しパソコンに無線信号受信器１０を設けた場合でも効果がある。【選択図】　図１
2004005335.tif 000002
【特許請求の範囲】
【請求項１】
（イ）　手持ち型コンピュータ入力操作マウス１の親指部に該当する部分に座標位置入力用ジョイスティック２を設ける。
（ロ）　座標位置入力用ジョイスティック２の横にボタンスイッチ付スクロールホイール５を設ける。
（ハ）　手持ち型コンピュータ入力操作マウス１を手で握った時の人差し指部に該当する部分に左クリック用ボタンスイッチ３を設ける。
（ニ）　手持ち型コンピュータ入力操作マウス１を手で握った時の中指部に該当する部分に右クリック用ボタンスイッチ４を設ける。
（ホ）　コンピュータ接続ケーブル６にてパソコン本体と手持ち型コンピュータ入力操作マウス１を接続する。
以上の如く構成された手持ち型コンピュータ入力操作マウス。
【請求項２】
手持ち型コンピュータ入力操作マウス１の座標位置入力用ジョイスティック２を座標位置入力用トラックボール７に変更した請求項１の手持ち型コンピュータ入力操作マウス。
【請求項３】
手持ち型コンピュータ入力操作マウス１の前面部に無線信号発信器９を設け、手持ち型コンピュータ入力操作マウス１の内部にバッテリー１１を設け、コンピュータ接続ケーブル６を取り外しパソコン本体部に無線信号受信機１０を設けた請求項１の無線式手持ち型コンピュータ入力操作マウス８。
【請求項４】
無線式手持ち型コンピュータ入力操作マウス８の座標位置入力用ジョイスティック２を座標位置入力用トラックボール７に変更した請求項３の無線式手持ち型コンピュータ入力操作マウス８。
【発明の詳細な説明】
【０００１】
［発明の属する技術分野］
この発明は、手持ち型コンピュータ入力操作マウスの親指部に該当する部分に、座標位置入力装置とボタンスイッチ付スクロールホイールを設けてこのマウスを手で握った時の人差指部と中指部に該当する部分に左右それぞれのクリック用ボタンスイッチを設け、机等の平面を全く必要とせず、パソコン操作時の手や手首、肘、腕、肩、首筋等の疲れを大きく軽減しパソコン操作及びデータ入力の効率を上げるための装置に関する物である。
【０００２】
［従来の技術］
従来の手持ち型コンピュータ入力操作マウスは、手で握った時の親指部に該当する部分に座標位置入力装置と左右それぞれのクリック用ボタンスイッチが集中していた。この為、パソコンのウインドウズＯＳのアイコンや各種アプリケーションソフトウェア，インターネット等の操作やデータ入力の際，親指１本のみに過度の負担をかけていた。又、表計算ソフトウェアやワードプロセッサー，インターネット等の画面を効率良くスクロール出来るボタンスイッチ付スクロールホイールが付いておらず、パソコン操作やデータ入力を行う場合に非常に効率が悪くパソコンを操作する上で不快なストレスとなっていた。又、アイコン等を左クリック用ボタンスイッチを押したまま画面上で動かすドラッグという動作を別途に設けられたスイッチを使用する事で代行していた。この為、通常の平面上を使用する従来の卓上コンピュータ入力操作マウスの様なスムーズな操作、入力が出来ず余計な労力を使用し集中力を奪っていた。
【０００３】
［発明が解決しようとする課題］
この発明は、手持ち型コンピュータ入力操作マウスでパソコン等の操作、及びデータ入力を行う場合に、このマウスを手で握った時の親指１本のみに操作、入力の全ての負担がかかってしまう為の効率の悪さや、手や腕、その他の疲れ、又は集中力の欠落を防止し、アイコン等のドラッグ動作を簡単にし、パソコンの操作、及びデータ入力等の効率を上げ不快なストレスを無くす為、発明された物である。
【０００４】
［課題を解決するための手段］
いま、その構成を説明すると
（イ）　手持ち型コンピュータ入力操作マウス１を手で握った場合の親指部に座標位置入力用ジョイスティック２，及びボタンスイッチ付スクロールホイール５を設ける。
（ロ）　手持ち型コンピュータ入力操作マウス１を手で握った場合の人差し指部に該当する部分に左クリック用ボタンスイッチ３を設ける。
（ハ）　手持ち型コンピュータ入力操作マウス１を手で握った場合の中指部に該当する部分に右クリック用ボタンスイッチ４を設ける。
（ニ）　手持ち型コンピュータ入力操作マウス１の本体とパソコン本体をコンピュータ接続ケーブル６にて接続する。
（ホ）　手持ち型コンピュータ入力操作マウス１の座標位置入力用ジョイスティック２を座標位置入力用トラックボール７に変更する。この場合でも同じ効果がある。
（ヘ）　座標位置入力用ジョイスティック２仕様の手持ち型コンピュータ入力操作マウス１に無線信号発信器９とバッテリー１１を設け、コンピュータ接続ケーブル６を取り外しパソコン本体に無線信号受信器１０を設ける。この様な無線式手持ち型コンピュータ入力操作マウス８の場合でも同じ効果がある。
（ト）　この無線式コンピュータ入力操作マウス８の座標位置入力用ジョイスティック２を座標位置入力トラックボール７に変更する。この場合でも同じ効果がある。
以上のように装置する。
【０００５】
［発明の実施の形態］
この発明は、以上のような構造であるから、これを使用する時は、通常の卓上コンピュータ入力操作マウスを使用する時と同じ様にコンピュータ接続ケーブル６をパソコン本体に接続し、この手持ち型コンピュータ入力操作マウス１を手で握った場合の親指部の座標位置入力用ジョイスティック２，もしくは座標位置入力用トラックボール７を用いてマウスポインターを移動させアイコンや各種アプリケーションソフトウェア，インターネット等の操作を行い人差指部に該当する左クリック用ボタンスイッチ３で自分が望むコンピュータ処理、又はアプリケーションソフトウェアを選択，もしくは起動させればよい。又、必要に応じ中指部に該当する右クリック用ボタンスイッチ４で各種の処理を行えば良いのである。又、親指部にあるボタンスイッチ付スクロールホイール５を用いて各種データ入力，及び表計算ソフトウェア，ワードプロセッサー，インターネット等の画面を効率良くスクロールする事が可能となる。なお，本発明の実施に当り、座標位置入力用ジョイスティック２仕様と座標位置入力用トラックボール７仕様それぞれの手持ち型入力操作マウス１に無線信号発信器９とバッテリー１１を設け、コンピュータ接続ケーブル６を取り外しパソコン本体に無線信号受信器１０を設けた場合でも同じ効果がある。以上の様に仕様すれば良い。
【０００６】
［発明の効果］
したがって、このようにすれば、手持ち型コンピュータ入力操作マウスを握った時の親指１本のみにパソコンの操作，入力等を行う場合の過度の負担を無くす事ができ、マウス操作に途計な労力を費やす必要が無くなり、パソコンの操作，データ入力に集中する事が出来るのである。又，パソコン画面の視覚情報とパソコン操作の思考が手持ち型コンピュータ入力操作マウスを手で握った場合に直結され、直感的にパソコンを何のストレスも感じる事なく操作、及びデータ入力を行う事が可能となる。これによりマウスを使用しパソコンを操作、及びデータ入力する場合の肉体疲労を大きく軽減し、パソコンによる業務効率を飛躍的に向上させる事が出来るのである。又、会議等での大画面によるプレゼンテーションを行う場合に、講演者はパソコンの操作に気を奪われる事なく会議，質疑応答，説明に集中する事が出来るのである。
【図面の簡単な説明】
【図１】本発明の全体斜視図である。
【図２】本発明の使用時斜視図である。
【図３】本発明の他の実施例を示す斜視図である。
【図４】本発明の他の実施例の使用時斜視図である。
【図５】本発明の無線式の全体斜視図である。
【図６】本発明の無線式の他の実施例を示す全体斜視図である。
【符号の説明】
１　　手持ち型コンピュータ入力操作マウス
２　　座標位置入力用ジョイスティック
３　　左クリック用ボタンスイッチ
４　　右クリック用ボタンスイッチ
５　　ボタンスイッチ付スクロールホイール
６　　コンピュータ接続ケーブル
７　　座標位置入力用トラックボール
８　　無線式手持ち型コンピュータ入力操作マウス
９　　無線信号発信器
１０　無線信号受信器
１１　バッテリー
【図１】
2004005335.tif 000003
【図２】
2004005335.tif 000004
【図３】
2004005335.tif 000005
【図４】
2004005335.tif 000006
【図５】
2004005335.tif 000007
【図６】
2004005335.tif 000008